(57)【要約】【課題】台座に対して迅速に装着でき、遠目にも残りボールの量が判り、清掃の不要な球技用ボール収納容器と、キャスター付き台座との組み合わせとを提供する。【解決手段】上側開口部１０Ｄからボールを出し入れでき、概ね直方体形状を成した球技用ボールを収容する容器１０であって、前記容器の底面１０Ａと４つの側面１０Ｂ，１０Ｃ，１０Ｂ’，１０Ｃ’とは夫々矩形状であり、５つの各矩形面を区画形成する４辺を線条部材によって形成しており、該各４辺に囲まれた領域は、各４辺の内の少なくとも１組の対向２辺を連結するように、収容対象とするボールが抜け出ない間隔に線条部材が配設されており、前記各矩形面は互いに分離可能に連結できるよう構成する。【選択図】図１
2009183526.tif 000002
【特許請求の範囲】
【請求項１】
上側開口部からボールを出し入れでき、概ね直方体形状を成した球技用ボールを収容する容器であって、
前記容器の底面と４つの側面とは夫々矩形状であり、５つの各矩形面を区画形成する４辺を線条部材によって形成しており、該各４辺に囲まれた領域は、各４辺の内の少なくとも１組の対向２辺を連結するように、収容対象とするボールが抜け出ない間隔に線条部材が配設されている
ことを特徴とする球技用ボール収容容器。
【請求項２】
上側開口部からボールを出し入れでき、概ね直方体形状を成した球技用ボールを収容する容器であって、
前記容器の底面と４つの側面とは夫々矩形状であり、５つの各矩形面を区画形成する４辺を線条部材によって形成しており、該各４辺に囲まれた領域は、各４辺の内の少なくとも１組の対向２辺を連結するように、収容対象とするボールが抜け出ない間隔に線条部材が配設されており、
前記各矩形面は互いに分離可能に連結できる
ことを特徴とする球技用ボール収容容器。
【請求項３】
前記底面と各側面とは引っ掛け係合によって連結でき、該引っ掛け係合状態において、各側面は底面に重なる方向に回転可能であり、
４つの側面の内の１組の対向２面の各面を区画形成する４辺の内の上辺の両端部を該上辺の延伸方向に延設させ、この各延設部に雄ネジ部を設け、他の対向２面の各面を区画形成する４辺の内の上辺の両端部に前記雄ネジ部が内部を挿通できる方向に筒部を設け、各雄ネジ部が夫々対応する各筒部を挿通して各筒部から露出でき、この露出した雄ネジ部にナット部材を締結して組み立てることができる
請求項２記載の球技用ボール収容容器。
【請求項４】
前記４つの側面の内の１組の対向２面の各面を区画形成する４辺の内の上辺同士をブリッジ状に連結すると共に、該上辺に直交する方向の軸周りに回転可能に設けられた略コ字状の手提げハンドルを２本有し、
夫々が該上辺上で適宜距離離隔して配設されており、互いに遠ざかる方向に夫々を前記軸周りに回転させれば、ボールの出し入れにとって各手提げハンドルが邪魔になることのないように容器の上側開口部を開放でき、
一方の手提げハンドルは他方よりも小さく、互いが近づく方向に夫々を前記軸周りに回転させれば該一方は該他方の内側を通ることができて、各コ字状手提げハンドルの把持部となるライン部が前記両上辺間に渡って容器の上側開口部に覆い被さる状態となり、容器に収容されているボールの飛び出しを防止する
請求項３記載の球技用のボール収容容器。
【請求項５】
前記４つの側面の内の１組の対向２面の各面を区画形成する４辺の内の上辺同士をブリッジ状に連結すると共に、該上辺に直交する方向の軸周りに回転可能に設けられた略コ字状の手提げハンドルを２本有し、
夫々が該上辺上で適宜距離離隔して配設されており、互いに遠ざかる方向に夫々を前記軸周りに回転させれば、ボールの出し入れにとって各手提げハンドルが邪魔になることのないように容器の上側開口部を開放でき、
一方の手提げハンドルは他方よりも小さく、互いが近づく方向に夫々を前記軸周りに回転させれば該一方は該他方の内側を通ることができて、各コ字状手提げハンドルの把持部となるライン部が前記両上辺間に渡って容器の上側開口部に覆い被さる状態となり、容器に収容されているボールの飛び出しを防止する
請求項１又は２記載の球技用のボール収容容器。
【請求項６】
前記各面に配設した線条部材のボールが抜け出ない間隔は、ボール直径の５０％以上８０％以下であり、４つの各側面の前記４辺を除く線条部材は、左右方向に延伸しておらず上下方向に延伸している請求項３又は４記載の球技用ボール収容容器。
【請求項７】
前記各面に配設した線条部材のボールが抜け出ない間隔は、ボール直径の５０％以上８０％以下であり、４つの各側面の前記４辺を除く線条部材は、左右方向に延伸しておらず上下方向に延伸している請求項１，２，５の何れか１記載の球技用ボール収容容器。
【請求項８】
前記２本の手提げハンドルを回転によって倒して各コ字状手提げハンドルの把持部となるライン部が前記両上辺間に渡って容器の上側開口部に覆い被さった状態が、該上辺の長さを略３等分した状態になる請求項４記載の球技用ボール収容容器。
【請求項９】
各側面の上辺には、複数の線条部材を間隔を設けて併設しており、この上辺の複数線条部材同士は他の線条部材で連結固定されている請求項１〜８の何れか１記載の球技用ボール収容容器。
【請求項１０】
夫々の下端にキャスターを設けた４本の脚を有し、該４本の脚を角位置とする平面視矩形状の配置関係を成すように組み立てられた台座をセットとして有しており、各脚の上端には、平面視略Ｌ字状の載置面を有し、該Ｌ字形状は台座の前記矩形の輪郭に概ね沿っており、前記請求項３，４，６，８の何れか１記載の容器は、その延設部と筒部とを使った４箇所の連結部が夫々前記４つの各載置面に載置可能な寸法関係であって、容器の４つの側面が前記４本の脚を角位置として囲まれた台座空間に収容される寸法形状である球技用ボール収納容器とキャスター付き台座との組み合わせ。
【請求項１１】
前記容器は概ね直方体形状を成しているが、底面は容器の上側開口部よりも小さく、４つの側面は下方に行くに従って対向した側面同士が互いに近づくようにすぼんでいる請求項１０記載の球技用ボール収納容器とキャスター付き台座との組み合わせ。
【発明の詳細な説明】
【技術分野】
【０００１】
本発明は、テニス用や野球用等の球技用ボールを収容する容器と、キャスター付き台座との組み合わせに関する。
【背景技術】
【０００２】
テニス等の種々の球技を行う際に、プレーヤーの近くに多数のボールをまとめて収容しておき、必要に応じて次々に取り出して使用し、プレーの終了時には、全てのボールを集めて収容し、そのまま倉庫等に保管することが一般的である。このための球技用ボールを収容する容器（ボールかご）があり、下記特許文献１，２の例がある。また、下記特許文献１に図示されているキャスター付きの台座に関しては、特許文献３に構造の開示がある。
【特許文献１】意匠登録第１２０１２４２号公報
【特許文献２】意匠登録第１１６１４９３号公報
【特許文献３】特開２００６−４６３６０号公報
【発明の開示】
【発明が解決しようとする課題】
【０００３】
上記最初の２例は何れもキャスター付きの台座に容器を載置装着して使用するものである。前者のものは、容器が布製であり、製造工場から購入者に届けるまでの間等の容器の仕舞い時には小さくたためて運搬や保管には便利であるが、台座に装着するに際して、容器の上部４隅を台座上面の４隅に係合させなければならず、必ずしも形状の定まらない布製容器故に、その係合作業に時間を要し、使用時に迅速に載置装着できないという欠点がある。また、使用時には容器内にどの程度のボールが残っているのか遠目には判らず、内部を覗き込む必要がある。更には、埃等が溜まり易く、汚れた際の清掃が面倒である。後者のものは、バレーボール等の大型のボール用であるためか、台座の上に載置しただけで使用されるようであり、折りたたみも可能なものであるが、やはり遠目には容器内にどの程度のボールが残っているのかが判らない上、清掃の必要性がある。
依って解決しようとする課題は、台座に対して迅速に装着でき、遠目にも残りボールの量が判り、清掃の不要な球技用ボール収納容器と、キャスター付き台座との組み合わせとを提供することである。
【課題を解決するための手段】
【０００４】
第１の発明は、上側開口部からボールを出し入れでき、概ね直方体形状を成した球技用ボールを収容する容器であって、前記容器の底面と４つの側面とは夫々矩形状であり、５つの各矩形面を区画形成する４辺を線条部材によって形成しており、該各４辺に囲まれた領域は、各４辺の内の少なくとも１組の対向２辺を連結するように、収容対象とするボールが抜け出ない間隔に線条部材が配設されていることを特徴とする球技用ボール収容容器を提供する。
【０００５】
第２の発明は、上側開口部からボールを出し入れでき、概ね直方体形状を成した球技用ボールを収容する容器であって、前記容器の底面と４つの側面とは夫々矩形状であり、５つの各矩形面を区画形成する４辺を線条部材によって形成しており、該各４辺に囲まれた領域は、各４辺の内の少なくとも１組の対向２辺を連結するように、収容対象とするボールが抜け出ない間隔に線条部材が配設されており、前記各矩形面は互いに分離可能に連結できることを特徴とする球技用ボール収容容器を提供する。
【０００６】
第３の発明は、第２の発明の前記底面と各側面とは引っ掛け係合によって連結でき、該引っ掛け係合状態において、各側面は底面に重なる方向に回転可能であり、４つの側面の内の１組の対向２面の各面を区画形成する４辺の内の上辺の両端部を該上辺の延伸方向に延設させ、この各延設部に雄ネジ部を設け、他の対向２面の各面を区画形成する４辺の内の上辺の両端部に前記雄ネジ部が内部を挿通できる方向に筒部を設け、各雄ネジ部が夫々対応する各筒部を挿通して各筒部から露出でき、この露出した雄ネジ部にナット部材を締結して組み立てることができるよう構成する。
【０００７】
第４の発明は、第３の発明の前記４つの側面の内の１組の対向２面の各面を区画形成する４辺の内の上辺同士をブリッジ状に連結すると共に、該上辺に直交する方向の軸周りに回転可能に設けられた略コ字状の手提げハンドルを２本有し、夫々が該上辺上で適宜距離離隔して配設されており、互いに遠ざかる方向に夫々を前記軸周りに回転させれば、ボールの出し入れにとって各手提げハンドルが邪魔になることのないように容器の上側開口部を開放でき、一方の手提げハンドルは他方よりも小さく、互いが近づく方向に夫々を前記軸周りに回転させれば該一方は該他方の内側を通ることができて、各コ字状手提げハンドルの把持部となるライン部が前記両上辺間に渡って容器の上側開口部に覆い被さる状態となり、容器に収容されているボールの飛び出しを防止するよう構成する。
【０００８】
第５の発明は、第１又は第２の発明の前記４つの側面の内の１組の対向２面の各面を区画形成する４辺の内の上辺同士をブリッジ状に連結すると共に、該上辺に直交する方向の軸周りに回転可能に設けられた略コ字状の手提げハンドルを２本有し、夫々が該上辺上で適宜距離離隔して配設されており、互いに遠ざかる方向に夫々を前記軸周りに回転させれば、ボールの出し入れにとって各手提げハンドルが邪魔になることのないように容器の上側開口部を開放でき、一方の手提げハンドルは他方よりも小さく、互いが近づく方向に夫々を前記軸周りに回転させれば該一方は該他方の内側を通ることができて、各コ字状手提げハンドルの把持部となるライン部が前記両上辺間に渡って容器の上側開口部に覆い被さる状態となり、容器に収容されているボールの飛び出しを防止するよう構成する。
【０００９】
第６の発明は、第３又は第４の発明の前記各面に配設した線条部材のボールが抜け出ない間隔は、ボール直径の５０％以上８０％以下であり、４つの各側面の前記４辺を除く線条部材は、左右方向に延伸しておらず上下方向に延伸しているよう構成する。
【００１０】
第７の発明は、第１、第２又は第５の発明の前記各面に配設した線条部材のボールが抜け出ない間隔は、ボール直径の５０％以上８０％以下であり、４つの各側面の前記４辺を除く線条部材は、左右方向に延伸しておらず上下方向に延伸しているよう構成する。
【００１１】
第８の発明は、第４の発明の前記２本の手提げハンドルを回転によって倒して各コ字状手提げハンドルの把持部となるライン部が前記両上辺間に渡って容器の上側開口部に覆い被さった状態が、該上辺の長さを略３等分した状態になるよう構成する。
略３等分とは、分割された夫々の長さが元の長さの２５％から４０％の範囲内の場合である。
【００１２】
第９の発明は、第１〜第８の発明の各側面の上辺には、複数の線条部材を間隔を設けて併設しており、この上辺の複数線条部材同士は他の線条部材で連結固定されているよう構成する。
【００１３】
第１０の発明は、夫々の下端にキャスターを設けた４本の脚を有し、該４本の脚を角位置とする平面視矩形状の配置関係を成すように組み立てられた台座をセットとして有しており、各脚の上端には、平面視略Ｌ字状の載置面を有し、該Ｌ字形状は台座の前記矩形の輪郭に概ね沿っており、前記第３、第４、第６又は第８の発明の容器は、その延設部と筒部とを使った４箇所の連結部が夫々前記４つの各載置面に載置可能な寸法関係であって、容器の４つの側面が前記４本の脚を角位置として囲まれた台座空間に収容される寸法形状である球技用ボール収納容器とキャスター付き台座との組み合わせを提供する。
また、第１の発明の容器の４隅を上記台座の載置面に載置し、容器の４つの側面が上記４本の脚を角位置として囲まれた台座空間に収容される寸法形状とすることもできる。
【００１４】
第１１の発明は、第１０の発明の前記容器は概ね直方体形状を成しているが、底面は容器の上側開口部よりも小さく、４つの側面は下方に行くに従って対向した側面同士が互いに近づくようにすぼんでいるよう構成する。
【発明の効果】
【００１５】
第１の発明は、容器の各面が線条部材によって構成されているため、布とは異なって常にその直方体形状が保持されている。従って、台座が無くても単独でこのままボール収容容器として使用できる他、台座に係合させつつ載置装着する場合にも、その作業が迅速に行える。また、遠目にも残りボールの量が判り、埃も蓄積せず清掃も不要となる。
【００１６】
第２の発明は、第１の発明の作用効果に加えて、各矩形面が分離可能であるため、製造時には夫々を別々に形成できる他、販売における運搬の際や、購入者が仕舞いたい場合に、各矩形面を分離して互いに重ねることで全体がコンパクトになり、扱い易い。
即ち、前記第１の発明では、容器の各面を個別に部品として製作し、それらを組み合わせる際に、互いの隣接面同士を溶接等の手段で互いに固定し、分離できない構造とした形態も含まれている。
【００１７】
第３の発明は、第２の発明に対して、その作用効果に加えて、底面と各側面とが引っ掛け係合できるため、各側面の下辺を簡単に係合でき、この状態で各側面は底面に重なるように回転可能である。従って、隣接した側面同士の上辺の一方の側面の筒部に他方側面の上辺の延設部（雄ネジ部）を挿入係合させることが容易であり、ネジ締結による組み立てが迅速に可能となる。
【００１８】
第４の発明は、第３の発明に対して、その作用効果に加えて、容器の中のボールを出し入れさせる際には、各手提げハンドルが邪魔になることの無いように容器の上側開口部を開放できるのみならず、２本の手提げハンドルの大きさを変える工夫をしているため、容器の中にボールを収容している場合、各コ字状手提げハンドルの把持部となるライン部が容器の上側開口部に覆い被さる状態にさせることができ、容器に収容されているボールの不用意な飛び出しを防止できる。
【００１９】
第５の発明は、第１又は第２の発明に対して第４の発明と同様な作用効果が加わる。
【００２０】
第６の発明は、第３又は第４の発明に対して、その作用効果に加えて、各面に配設した線条部材のボールが抜け出ない間隔がボール直径の５０％以上８０％以下であるため、ボールの一部を線条部材間の隙間から容器の外部に露出させつつ収容できる。従って、効果的に（より多くの個数の）ボールを収容できる。また、４つの各側面を夫々区画形成している各４辺を除く他の線条部材は、左右方向に延伸しておらず上下方向に延伸しているので、ボールがこれらの線条部材間の隙間に挟まりつつ収容される際にも、ボールは引っ掛かりが防止されつつ底面方向に下がることができ、途中に引っ掛かることが防止され、収容し易い。また、容器内からボールを取り出す際にも、そのボールがこれらの線条部材間の隙間に挟まれていても、引っ掛かりが防止されつつ上方に取り出され易い。
【００２１】
第７の発明は、第１、第２又は第５の発明に対し、その作用効果に加えて、第６の発明と同様な作用効果が加わる。
【００２２】
第８の発明は、第４の発明に対して、その作用効果に加えて、各コ字状手提げハンドルの把持部となるライン部が容器の上側開口部に覆い被さった状態が、上辺の長さを略３等分した状態になるので、運搬中等において容器内に収容しているボールの不用意な飛び出しが最も効果的に防止できる。
【００２３】
第９の発明は、第１〜第８の発明に対して、その作用効果に加えて、各側面の上辺は複数の線条部材の併設によって構成されているので、各上辺の撓み剛性が向上しており、このためボール収容容器としての剛性が高まり、容器形状が安定する。
【００２４】
第１０の発明は、第３、第４、第６又は第８の発明に対して、その作用効果に加えて、キャスター付き台座に載置、収容できるため、容器にボールを満載しても楽に移動可能となる。また、容器を載置させる各脚の上端は台座の矩形輪郭に沿ったＬ字状載置面であるため、略直方体の容器を台座空間に収容させる際に、載置面の内周側が邪魔になることが防止される。また、収容される容器の大きさは前記台座空間よりも当然小さ目に形成されており、容器と台座との成すこの隙間の存在に起因して、容器の延設部と筒部とを使った連結部が載置される位置はその都度この隙間の大きさの範囲でずれ得るが、載置面のＬ字形状が、台座の矩形輪郭に沿っているため、このＬ字がＸ辺とＹ辺とで構成されているとすれば、容器の何れの方向への平面的載置ずれも、Ｘ辺とＹ辺の長さで吸収できる。即ち、容器の迅速な台座への載置、収容が可能となる。
【００２５】
第１１の発明は、第１０の発明に対して、その作用効果に加えて、容器の各側面が下すぼみであるため、容器を台座に載置、収容させる際に、引っ掛かり難く、迅速に可能となる。
【００２６】
第１から第１１の各発明において、容器の５つの各矩形面を区画形成する４辺を線条部材によって形成し、各矩形面毎に前記４辺を線条部材で区画形成したものを組み立てた容器の場合は、直方体である容器の４つの縦辺と、底面の周囲４辺とは、隣接した各面の対応辺同士が接触したり、或いは互いに近い位置に隣接する構造となるため、直方体容器のフレーム構造として強度、剛性が向上する。
【発明を実施するための最良の形態】
【００２７】
以下、本発明を添付図面を用いて更に詳細に説明する。図１は本発明に係る容器１０の斜視図、図２は容器の部分分解図、図３は容器のある方向からの側面図、図４は容器の他の方向からの側面図、図５は容器の上面図である。容器１０はスティール部材の線条部材によって形成されており、その形状は略直方体であり、この例では、略立方体であるが、以下では汎用的な直方体として説明する。矩形状の底面１０Ａと、４つの矩形状の側面１０Ｂ，１０Ｃ，１０Ｂ’，１０Ｃ’を有し、上面は開口部１０Ｄとなっている。矩形状開口部１０Ｄの一辺の方向をＸ、これに直交する他の方向をＹ、上下方向をＺとしており、以下の説明において辺や面の方向等を簡単に説明するために使用することがある。
【００２８】
また、略コ字状の手提げハンドルを２本設けており、夫々１２Ａ，１２Ｂを所定の位置に設け、互いに所定間隔を置いて配設されている。各ハンドルはＹ方向指向の軸の周りに回転可能に装着しており、互いが遠ざかる方向に回転させると、図１に示すように、開口部１０Ｄを覆うことなく、完全に開放させる位置に来る。勿論、互いが近づく方向に回転させると図２のような位置に来て、２本をまとめて手で把持できる。
【００２９】
側面１０Ｂを区画形成している４辺はＢＨ１，ＢＨ２，ＢＨ３，ＢＨ４であり、上辺ＢＨ３は複数本の線条部材を適宜間隔を設けて併設しており、この例では２本であり、他の３辺と同一平面を形成する方がＢＨ３’であり、他方は補強部材であり、開口部１０Ｄに侵入しない外側に配設されており、ＢＨ３”で示されている。また、矩形状側面１０Ｂの該４辺に囲まれた内部領域は、下辺ＢＨ１と上辺ＢＨ３とに渡る方向、即ち、組み立てて容器１０になった場合に概ね上下方向（Ｚ方向）に延伸した方向にのみ複数本の線条部材Ｊが溶接連結されている。これらの線条部材Ｊの上辺部は直交方向に折り曲げられて、前記補強部材ＢＨ３”にも溶接され、これを線条部材ＢＨ３’に対して適宜間隔を隔てたまま平行に保持固定する作用をしている。
【００３０】
また、上辺の線条部材ＢＨ３’の両端部には、該線条部材の延伸方向に延設した延設部Ｅを有しており、この延設部に雄ネジ部を設けている。更には、線条部材Ｊの内の２本の下辺部をＵ字型に曲げており、組み立て時にこのＵ字型部を使って、矩形状底面１０Ａを区画形成する４辺の線条部材ＡＨの内の対応する１辺の線条部材に回転可能に係止させる。この底面１０Ａの内部領域は、対向する２辺間に渡って、複数本の線条部材Ｊ’が上記線条部材Ｊと同様に、ボールの落ちない適宜間隔で溶接、配設されている。
【００３１】
上記側面１０Ｂと対向する位置にある側面１０Ｂ’は、側面１０Ｂと同一形状部品であり、底面に組み付ける際に互いが対向する向きに組み付ける。側面１０Ｂ’の各辺の線条部材は、側面１０Ｂの参照記号のＢに「’」を付したものとしている。即ち、側面１０Ｂ’を区画形成する４辺はＢ'Ｈ１，Ｂ’Ｈ２，Ｂ’Ｈ３，Ｂ’Ｈ４であり、上辺Ｂ’Ｈ３は２本の線条部材Ｂ’Ｈ３’，Ｂ’Ｈ３”で構成している。その他の事項は側面１０Ｂと同じであるため説明を省略する。
【００３２】
一方、４つの側面の内の他方の対向組となる側面１０Ｃ，１０Ｃ’の内、側面１０Ｃを区画形成している４辺はＣＨ１，ＣＨ２，ＣＨ３，ＣＨ４であり、上辺ＣＨ３は複数本の線条部材を適宜間隔を設けて併設しており、この例では２本であり、他の３辺と同一平面を形成する方がＣＨ３’であり、他方は補強部材であり、開口部１０Ｄに侵入しない外側に配設されており、ＣＨ３”で示されている。また、矩形状側面１０Ｂの該４辺に囲まれた内部領域は、下辺ＣＨ１と上辺ＣＨ３とに渡る方向、即ち、組み立てて容器１０になった場合に概ね上下方向（Ｚ方向）に延伸した方向にのみ複数本の線条部材Ｊが溶接連結されている。これらの線条部材Ｊの上辺部は直交方向に折り曲げられて、前記補強部材ＣＨ３”にも溶接され、これを線条部材ＣＨ３’に対して適宜間隔を隔てたまま平行に保持固定する作用をしている。
【００３３】
また、上辺の線条部材ＣＨ３’の両端部所定位置には、該線条部材の延伸方向（Ｙ方向）に直交する方向（Ｘ方向）に延伸した筒部Ｔを設けている。容器として組み立てる際に、この筒部の中に上記延設部Ｅを挿通させる。更には、線条部材Ｊの内の２本の下辺部をＹ方向に沿うようＬ字状の直角に曲げており、組み立て時にこのＬ字部を使って、矩形状底面１０Ａを区画形成する４辺の線条部材ＡＨの内の対応する１辺の線条部材に、Ｙ方向に延伸するよう設けた筒部Ｔ’に回転可能に挿入させる。
【００３４】
上記側面１０Ｃと対向する位置にある側面１０Ｃ’は、側面１０Ｃと同一形状部品であり、底面に組み付ける際に互いが対向する向きに組み付ける。側面１０Ｃ’の各辺の線条部材は、側面１０Ｃの参照記号のＣに「’」を付したものとしている。即ち、側面１０Ｃ’を区画形成する４辺はＣ'Ｈ１，Ｃ’Ｈ２，Ｃ’Ｈ３，Ｃ’Ｈ４であり、上辺Ｃ’Ｈ３は２本の線条部材Ｃ’Ｈ３’，Ｃ’Ｈ３”で構成している。その他の事項は側面１０Ｃと同じであるため説明を省略する。
【００３５】
既述の構造により、対向１組の側面１０Ｂ、１０Ｂ’は、夫々、ＹとＺの成す面内を回転できる。即ち、底面１０Ａに重なるように回転できる。また、他の対向１組の側面１０Ｃ，１０Ｃ’は、夫々、ＸとＺの成す面内を回転できる。即ち、底面１０Ａに重なるように回転できる。このため、既述の延設部Ｅを筒部Ｔの中に挿通させることができ、筒部からはみ出した延設部には雄ネジ部が設けられており、これにナット部材を螺合させて、容器を、底面と４つの側面が各面毎に分離可能に、組み立てることができる。このため、容器として組み立てる前は、５つの面を重ねてコンパクトになり、仕舞い時や運搬等に便利である。
【００３６】
しかし、第１の発明の観点からは、延設部Ｅを筒部Ｔの中に挿通させて、ナットによって分解可能に締結することなく、溶接等によって固定してしまう構造も存在する。その他、溶接する場合は、必ずしも筒部Ｔを使用することなく、上辺ＣＨ３と上辺Ｂ’Ｈ３とのように、直交方向に互いに隣接する線条部材同士を溶接接合するだけでもよく、また、これらの隣接線条部材の他に、上記例での筒部Ｔに相当するような外径大きさと剛性、或いはそれ以外の大きさと剛性を有する補強部材を併用して連結部を溶接接合してもよい。後述するような台座２０を併用する場合は、こうして溶接等によって接合された連結部が、その台座の載置面２０Ｂに載置される。
【００３７】
以上述べたような、直交する隣接線条部材同士の連結部が分解可能であっても、また溶接等によって固定されていても、何れの場合も、この連結部が後述するような台座の載置面２０Ｂに載置される寸法形状に構成すれば、容器内にボールを収容した場合に、その荷重によって載置面上の連結部に相応の力が作用する。ここには直交する２方向の線条部材から力を受け、また、載置状況によっては容器の重心位置がずれて載置面に対する連結部の載置位置がずれたりするが、上記筒部Ｔを使用した分離可能な構造の場合は、この連結部には線条部材に比して大径で剛性の高い筒部Ｔが存在することにより、強度が強くて変形し難く、荷重に耐え易い。また、溶接等によって固定していても、既述の筒部等の補強部材を使用していれば、同じく強度が強く変形し難く、荷重に耐え易い。
【００３８】
また、線条部材Ｊの間隔は、収容対象ボールの直径の５０％以上、８０％以下であるため、ボールの一部を線条部材間隙間から外側にはみ出させつつ収容できるため、可級的に多くのボールの収容が可能となる。更には、線条部材Ｊは左右方向ではなく、全て上下方向に指向しているため、ボールの収容時や取り出し時に引っ掛かり難い。
【００３９】
更には、各図に示す容器は、隣接した各矩形状面同士を連結させる構造のため、直方体の縦４辺と底面１０Ａの４辺とは、各面を区画形成している周囲４辺の隣接した各辺同士が直ぐ傍に併設された構造になっているため、容器のフレーム構造として強度が向上する。具体的には、側面１０Ｃの辺ＣＨ４と１０Ｂの辺ＢＨ２とが、互いに直ぐ傍に併設された構造になっており、これが直方体容器の縦４辺の内の１つの縦辺となっている。他の縦３辺も同様である。また、底面１０Ａの区画形成辺ＡＨと側面１０ＢのＢＨ１とが殆ど接触する程度（線条部材の直径寸法程度以下離隔している）の直ぐ傍に併設されており、底面の他の３辺も同様である。
【００４０】
既述の手提げハンドル１２Ａ，１２Ｂは、左右辺Ｌ１，Ｌ１’と中間辺Ｌ２とで成すコの字状を成しており、容器の側面１０Ｂ，１０Ｂ’の上辺ＢＨ３，Ｂ’Ｈ３部分に装着しており、夫々の側面の線条部材Ｊの上辺部の折曲部はＹ方向に延伸しており、これに係止して装着している。このため、夫々はＸとＺの成す面内を回転可能である。左右辺Ｌ１，Ｌ１’は夫々の上辺の幅の範囲内に設けられている。具体的には、線条部材ＢＨ３’と他の線条部材ＢＨ３”との間、及び線条部材Ｂ’Ｈ３’と他の線条部材Ｂ’Ｈ３”との間に配設されている。従って、開口部１０Ｄを塞ぐことはない。また、この例では、手提げハンドル１２Ａは、他方の手提げハンドル１２Ｂよりも大きい。より具体的には、コの字の中間辺であって把持部となるＹ方向ライン部Ｌ２の長さに関して、手提げハンドル１２Ａの方が幾分長く、その他の辺は同じである。この長さの相違は、図５に最も明確に現れている。
【００４１】
このため、２つの手提げハンドル１２Ａ，１２Ｂを互いに近づく方向に回転させれば、手提げハンドル１２Ｂが手提げハンドル１２Ａの内側を通過して交差でき、夫々のＹ方向ライン部Ｌ２の最終停止位置は、図５の２点鎖線で示す１２Ａ’と１２Ｂ’となる。これらの位置は容器の上辺ＢＨ３（及び上辺Ｂ’Ｈ３）の長さを略３等分しており、開口部１０Ｄに覆い被さる状態になる。即ち、容器内に多数のボールを収容した後、このような位置状態にしておけば、容器内のボールの不用意な飛び出しを極力防止できる。また、各手提げハンドルの中間辺Ｌ２には、把持感を向上させるために、スティール製の線条部材の外側に合成樹脂製の把持部材を被嵌させている。
【００４２】
図６は既述の特開２００６−４６３６０号公報に開示の台座２０の斜視図であり、（ａ）は使用可能な状態の図、（ｂ）は仕舞い状態の図である。４本の脚２０Ａにはその下端にキャスター２０Ｃを設けており、当該４本の脚を角位置とする２点鎖線で示す平面視が矩形輪郭２０Ｋの配置関係を維持すべく、Ｘ字状に配設された１対の連結部材２０Ｄを４つの各側面に設けている。このＸ字に配設された１対の連結部材の各端部位置の連結部と、連結部材中央位置の連結部とは全て回転自在に構成しており、各連結部材下端部位置の連結部は、対応する脚の長手方向（上下方向）に移動可能である。このため、仕舞い時には（ｂ）のように縮径させることができる。
【００４３】
各脚の上端部には、平面視が略Ｌ字状の載置面２０Ｂを設けている。各Ｌ字状載置面のＬ字の２つの辺は、４本の脚を角とする２点鎖線で示す矩形輪郭２０Ｋに概ね沿い、Ｘ方向かＹ方向である。従って、容器を台座空間に収容させる際に載置面２０Ｂが邪魔になることが防止されている。
この台座に容器１０を収容、載置した状態の側面図を図７に示している。容器１０の側面のプレート１４は商標記載や装飾用のプレートである。この図７が明示しているが、容器の底面は上側開口部よりも小さく、４つの側面は下方に行くに従って対向側面が互いに近づくようにすぼんでいる。このため、容器を台座空間に収容させる際に引っ掛かりが防止され、迅速に行える。
【００４４】
また、容器の載置は、容器の延設部Ｅを筒部Ｔに挿入させた連結部が、台座のＬ字状載置面２０Ｂに載置される。その載置関係を図５に示しており、台座の成す矩形輪郭２０Ｋの内側空間と容器側面との成す隙間は適宜に設けられており、この隙間の存在に起因してＬ字状載置面と容器の前記連結部との相対位置はずれるが、Ｘ方向にずれてもＹ方向にずれても、載置面がＸ，Ｙ両方向に延伸したＬ字状であるため、そのずれを吸収でき、確実に載置できる。
【００４５】
上記台座は図６の（ｂ）のように縮径する構造であったが、本発明に係る組み合わせの台座は、縮径できない構造のものでもよい。
【産業上の利用可能性】
【００４６】
本発明は、テニスボールや野球ボール等の球技用ボールを収容する容器、及び容器と台座との組み合わせに利用できる。
【図面の簡単な説明】
【００４７】
【図１】図１は本発明に係る容器の斜視図である。
【図２】図２は容器の部分分解図である。
【図３】図３は容器のある方向からの側面図である。
【図４】図４は容器の他の方向からの側面図である。
【図５】図５は容器の上面図である。
【図６】図６は台座の斜視図である。
【図７】図７は本発明に係る容器と台座との組み合わせ状態の側面図である。
【符号の説明】
【００４８】
１０                                容器
１０Ａ                              底面
１０Ｂ，１０Ｂ’，１０Ｃ，１０Ｃ’    側面
１０Ｄ                              上側開口部
１２Ａ                              大きい方の手提げハンドル
１２Ｂ                              小さい方の手提げハンドル
２０                                台座
２０Ｂ                              Ｌ字状載置面
ＢＨ３，ＣＨ３，Ｂ’Ｈ３，Ｃ’Ｈ３  各側面の上辺
Ｅ                                  延設部
Ｊ                                  各側面の４辺以外の線条部材
Ｔ                                  筒部
【図１】
2009183526.tif 000003
【図２】
2009183526.tif 000004
【図３】
2009183526.tif 000005
【図４】
2009183526.tif 000006
【図５】
2009183526.tif 000007
【図６】
2009183526.tif 000008
【図７】
2009183526.tif 000009